(57)【特許請求の範囲】
【請求項１】
熱源機を制御する熱源機側コントローラと、風呂場および台所に設置された各リモートコントローラと、さらに、その他の部屋に設置された各種温水暖房機器用の複数のリモートコントローラとをすべて通信線で接続し、
すべてのリモートコントローラに呼び出しスイッチを設けると共にブザーおよび／または表示器を設け、
いずれかの呼び出しスイッチが投入された場合、前記通信線を介し、この投入された呼び出しスイッチを備えるリモートコントローラ以外の、すべてのリモートコントローラのブザー音をいずれの呼び出しスイッチが投入されたかの情報を伴う形態で出力し、および／またはその表示器に、前記呼び出しスイッチが投入されたことを、いずれの呼び出しスイッチが投入されたかの情報と共に表示し、
さらに、前記呼び出しスイッチ、ブザー、表示器のいずれかの機能をリモートコントローラ単位で個別にキャンセルできるように構成した
ことを特徴とする温水機器システム。
【請求項２】
前記ブザーの音量を調節する機能を備えたことを特徴とする請求項１項記載の温水機器システム。
【発明の詳細な説明】
【０００１】
【発明の属する技術分野】
本発明は、熱源機に温水機器を接続した温水機器システムに関する。
【０００２】
【従来の技術】
一般に、熱源機を制御する熱源機側コントローラと、風呂場に設置されたリモートコントローラ（以下、リモコンという。）と、台所に設置されたリモコンとを通信線で接続した温水機器システムが知られている。この種のものでは、風呂場に設置されたリモコンに呼び出しスイッチが設けられ、台所リモコンにブザーおよび表示器が設けられ、例えば、風呂場で事故があった場合等、呼び出しスイッチが投入された時、台所リモコンのブザー音を出力し、その表示器に、前記呼び出しスイッチが投入されたことを表示し、台所で作業する人に事故を報知可能に構成した報知システムが提案されている。
【０００３】
【発明が解決しようとする課題】
しかしながら、従来の構成では、台所の近くに人がいない場合には、その報知システムが有効に機能しないという問題がある。また、従来の構成では、風呂場に設置されたリモコンにだけ呼び出しスイッチが設けられているので、風呂場以外での事故時には、同報知システムを有効に機能させることができないという問題がある。更に、この報知システムを家庭の各部屋に適用した場合、幼児等の部屋に当該リモコンがある時、その部屋のリモコンからはブザー音を出力させたくない等の要望がある。
【０００４】
そこで、本発明の目的は、台所の近くに人がいない場合でも、その報知システムが有効に機能し、また、風呂場以外での事故時にあっても、同報知システムを有効に機能させることができ、更には、例えば特定の部屋のリモコンからはブザー音を出力させたくない場合、そのブザー音を出力させることのない、温水機器システムを提供することにある。
【０００５】
【課題を解決するための手段】
請求項１記載の発明は、熱源機を制御する熱源機側コントローラと、風呂場および台所に設置された各リモートコントローラと、さらに、その他の部屋に設置された各種温水暖房機器用の複数のリモートコントローラとをすべて通信線で接続し、すべてのリモートコントローラに呼び出しスイッチを設けると共にブザーおよび／または表示器を設け、いずれかの呼び出しスイッチが投入された場合、前記通信線を介し、この投入された呼び出しスイッチを備えるリモートコントローラ以外の、すべてのリモートコントローラのブザー音をいずれの呼び出しスイッチが投入されたかの情報を伴う形態で出力し、および／またはその表示器に、前記呼び出しスイッチが投入されたことを、いずれの呼び出しスイッチが投入されたかの情報と共に表示し、さらに、前記呼び出しスイッチ、ブザー、表示器のいずれかの機能をリモートコントローラ単位で個別にキャンセルできるように構成したことを特徴とするものである。
【０００８】
請求項２記載の発明は、請求項１項記載のものにおいて、ブザーの音量を調節する機能を備えたことを特徴とするものである。
【０００９】
【発明の実施の形態】
以下、本発明の一実施形態を図面を参照して説明する。
【００１０】
図１はマンションの一室の平面図であり、この一室は風呂場５１、台所５２の他に、３つの部屋５３、５４、５５を備えている。マンションのベランダには熱源機１が設置されている。この熱源機１はガス、或いは石油等を燃料とするボイラ（図示せず）を備え、このボイラで燃料を燃焼させてこの燃焼熱により温水を生成する。この熱源機１で生成された温水は、風呂場５１においては浴槽３や洗い場の水栓に供給されると共に、台所５２では流し台５の水栓に供給される。なお、浴槽３のお湯は、追い焚き時に熱源機１に循環されて追い焚きされる。また、この熱源機１で生成された温水は、床暖房機７ａ、７ｂ、更には暖房放熱器（温水エアコン、ファンコンベクタ等）９に供給される。
【００１１】
この熱源機１には熱源機側コントローラ１３が設けられ、この熱源機側コントローラ１３には、風呂場５１、台所５２、３つの部屋５３、５４、５５にそれぞれ設けられたリモートコントローラ（以下、リモコンという。）１１ａ、１１ｂ、１１ｃ、１１ｄ、１１ｅが通信線１５を介して通信可能に接続されている。そして、風呂場５１に設置されたリモコン１１ａおよびその他の部屋５２〜５５に設置されたすべてのリモコン１１ｂ、１１ｃ、１１ｄ、１１ｅに呼び出しスイッチ２１が設けられると共にブザー２２および表示器２３が設けられている。
【００１２】
この実施形態では、例えば、風呂場で事故があった場合等、風呂リモコン１１ａの呼び出しスイッチ２１が押されると、台所リモコン１１ｂを含むすべてのリモコン１１ｂ、１１ｃ、１１ｄ、１１ｅに設けられたブザー２２からブザー音が出力されると共に、すべてのリモコン１１ｂ、１１ｃ、１１ｄ、１１ｅの表示器２３に、呼び出しスイッチ２１が押されたことが表示される。
【００１３】
この場合、押された呼び出しスイッチ２１は特定のリモコンの呼び出しスイッチであることを特定表示する、例えば、部屋によってブザー音の出力回数を変化させたり、部屋の名称を表示したりすることが望ましい。
【００１４】
これによれば、すべてのリモコン１１ｂ、１１ｃ、１１ｄ、１１ｅに設けられたブザー２２からブザー音が出力されるので、従来のものに比べて台所５２に人がいなくても、その他の部屋にいる人に、事故等を確実に報知できる。
【００１５】
また、この実施形態では、風呂リモコン１１ａ以外のリモコンにも、呼び出しスイッチ２１が設けられているので、どの部屋の呼び出しスイッチ２１を押しても、他の部屋に確実に報知することができる。高齢者の就寝中の事故等にも、十分な対応が可能であり、コミュニケーションが図られる。
【００１６】
呼び出しスイッチ２１、ブザー２２、表示器２３のいずれかの機能をキャンセルすることが可能に構成されている。
【００１７】
例えば、幼児等の部屋に当該リモコン１１がある時、その部屋のリモコン１１からはブザー音を出力させたくない等の要望がある。この場合には、当該部屋の例えばブザー２２のキャンセルが有効である。必要に応じて当該部屋のブザー２２の音量を調節できるようにしてもよい。
【００１８】
以上、一実施形態に基づいて本発明を説明したが、本発明は、これに限定されるものでないことは明らかである。例えば、前記実施形態では、ワイヤードリモコンについて説明したが、これに限定されるものではなく、ワイヤレスリモコンにも適用が可能なことはいうまでもない。
【００１９】
【発明の効果】
これらの発明では、すべての部屋のリモコンのブザーからブザー音が出力され、表示器にそれが表示されるので、台所の近くに人がいない場合でも、他の部屋にいる人に、呼び出しスイッチが押されたことを、確実に報知できる。
【００２０】
また、部屋のリモコンすべてに呼び出しスイッチを設けたので、風呂場以外での事故時にも、この報知システムを有効に機能させることができる。
【００２１】
更に、幼児等の部屋に当該リモコンがある場合、その部屋のリモコンからはブザー音を出力させたくない等の要望があるが、それを例えばブザー音の出力等をキャンセルすることができるので、当該要望に応えることができる。
【図面の簡単な説明】
【図１】本発明による温水機器システムの一実施形態を示す系統図である。
【符号の説明】
１  熱源機
１１ａ、１１ｂ、１１ｃ、１１ｄ、１１ｅ  リモコン
１３  熱源機側コントローラ
１５  通信線
２１  呼び出しスイッチ
２２  ブザー
２３  表示器
５１  風呂場
５２  台所
５３、５４、５５  部屋
【図１】
0004039764.tif 000002